(57)【特許請求の範囲】
【請求項１】
カソードおよびこのカソードから順次蛍光体スクリーン方向に配置された複数個の電極を有する電子銃から放出される同一平面上を通るセンタービームおよび一対のサイドビームからなる一列配置の３電子ビームを偏向装置により偏向して上記蛍光体スクリーンを走査するカラー受像管において、
上記電子銃は、上記電子ビームの偏向に同期して変化する電圧が印加される少なくとも第１、第２の電極およびこの第２の電極よりも前記蛍光体スクリーン側に位置し所定の電圧が印加される第３の電極を有し、これら電極のうち、上記第１の電極とこの電極に隣接する電極とにより上記一対のサイドビームを上記センタービームに近づける方向に曲げる第１の偏心レンズを形成し、上記第２の電極とこの電極に隣接する電極とにより上記一対のサイドビームを上記センタービームから遠ざける方向に曲げる第２の偏心レンズを形成し、上記第３の電極とこの電極に隣接する電極とにより上記一対のサイドビームを上記センタービームに近づける方向に曲げる第３の偏心レンズを形成し、かつ上記第２、第３の偏心レンズ間に上記３電子ビーム共通の電子レンズを形成する構成とし、電子ビームの偏向に同期して上記第１、第２の電極に印加される電圧が高まると、上記第１の偏心レンズのレンズ強度は強く、上記第２の偏心レンズのレンズ強度は弱く、さらに上記３電子ビーム共通の電子レンズのレンズ強度は弱くなる構成としたことを特徴とするカラー受像管。
【発明の詳細な説明】
【０００１】
【産業上の利用分野】
この発明は、同一平面上を通る一列配置の３電子ビームを放出する電子銃を有するカラー受像管に係り、特に画面全域にわたり良好なコンバーゼンスが得られるダイナミックフォーカス方式の電子銃を有するカラー受像管に関する。
【０００２】
【従来の技術】
一般にカラー受像管は、青，緑，赤に発光する３色蛍光体層からなる蛍光体スクリーンを有し、電子銃から放出される３電子ビームを偏向装置の発生する磁界により偏向して、上記蛍光体スクリーンを水平、垂直走査することにより、カラー画像を表示する構造に形成されている。このようなカラー受像管において、電子銃から放出される３電子ビームを、同一水平面上を通るセンタービームおよび一対のサイドビームからなる一列配置の３電子ビームとしたインライン型カラー受像管が、現在カラー受像管の主流となっている。
【０００３】
一般にこのインライン型カラー受像管の電子銃は、水平方向に一列配置された３個のカソード、このカソードから順次蛍光体スクリーン方向に配置された電子ビーム発生部および主レンズ部を形成する一体構造の複数個の電極を有する。その主レンズ部は、３電子ビームに対するフォーカス作用とスタッティック・コンバーゼンス作用をもち、この主レンズ部の作用により、３電子ビームは、蛍光体スクリーン上に小さなビームスポットを形成するように集束されると同時に、一対のサイドビームをセンタービームに近づける方向に曲げて蛍光体スクリーン上の一点に集中させる。
【０００４】
したがってこのカラー受像管の電子銃では、フォーカス電圧を調整すると、スタッティック・コンバーゼンスが不所望に変化するという問題がある。
【０００５】
このフォーカス電圧の調整とスタッティック・コンバーゼンスの変化の問題を解決する手段として、特公平１−４２１０９号公報には、集束電極のカソード側の電子ビーム通過孔近傍で一対のサイドビームをセンタービームに近づける方向に曲げる第１の軌道補正をおこない、主レンズ部で同様に一対のサイドビームをセンタービームに近づける方向に曲げる第２の軌道補正をおこない、この一対のサイドビームに対する２段の軌道補正により、フォーカス電圧の調整に対して、集束電極のカソード側での第１の軌道補正と主レンズ部での第２の軌道補正とを相補的に作用させる手段が示されている。
【０００６】
一方、最近大画面にしてかつ高精細、高品位の画像を表示するカラー受像管に対する要求が強い。このようなカラー受像管の電子銃として、新規な各種構造の電子銃が開発されている。その一つに、たとえば本発明者等による特開平２−２２３１３６号公報に示されている抵抗器分割方式の電子銃がある。この電子銃は、管内に配置された抵抗器により陽極電圧を分割して、主レンズを構成する電極に供給する構造に形成され、高精細、高品位の画像を表示するとともに、管内放電に対して、高い信頼性をもつものとなっている。
【０００７】
さらにこの抵抗器分割方式の電子銃において、フォーカス電圧を電子ビームの偏向に同期して変化させるダイナミック・フォーカス方式の電子銃も開発されている。このダイナミック・フォーカス方式の電子銃では、電子ビームが蛍光体スクリーンの周辺部を走査するときは、蛍光体スクリーンの中央部を走査するときよりもフォーカス電圧が約１０００Ｖ高くなるが、このようにフォーカス電圧が高くなると、蛍光体スクリーン周辺部でのコンバーゼンスが約１．０ｍｍずれる。
【０００８】この蛍光体スクリーン周辺部でのコンバーゼンスずれを軽減するため、前記特公平１−４２１０９号公報に開示されている手段を適用しても、コンバーゼンスずれは、ほとんど低減しない。
【０００９】
一般に蛍光体スクリーン周辺部でのコンバーゼンスずれの許容量は、０．３ｍｍ以下であるから、上記ダイナミック・フォーカス方式の電子銃のコンバーゼンスずれは、許容量を越え、画像品位を大幅に低下させる。
【００１０】
【発明が解決しようとする課題】
上記のように、カラー受像管の電子銃の主レンズ部は、電子銃から放出される３電子ビームのフォーカス作用とスタテイック・コンバーゼンス作用をもち、３電子ビームを蛍光体スクリーン上に小さなビームスポットを形成するように集束すると同時に、一対のサイドビームをセンタービームに近づける方向に曲げて蛍光体スクリーン上の一点に集中させる。したがってこのカラー受像管の電子銃では、フォーカス電圧を調整すると、スタッティック・コンバーゼンスが変化するという問題がある。
【００１１】
特に最近大画面にしてかつ高精細、高品位の画像を表示するカラー受像管の電子銃として開発された抵抗器分割方式の電子銃において、これにダイナミック・フォーカス方式を適用すると、蛍光体スクリーン周辺部でのコンバーゼンスずれが許容量を越え、画像品位を大幅に低下させるという問題がある。
【００１２】
この発明は、上記問題点を解決するためになされたものであり、フォーカス電圧を電子ビームの偏向に同期して変化させるダイナミック・フォーカス方式の電子銃を備えるカラー受像管において、蛍光体スクリーンの周辺部でのコンバーゼンスずれをなくし、画面全域にわたり品位良好な画像を表示するカラー受像管を構成することを目的とする。
【００１３】
【課題を解決するための手段】
カソードおよびこのカソードから順次蛍光体スクリーン方向に配置された複数個の電極を有する電子銃から放出されるセンタービームおよび一対のサイドビームからなる一列配置の３電子ビームを偏向装置により偏向して蛍光体スクリーンを走査するカラー受像管において、電子銃を、電子ビームの偏向に同期して変化する電圧が印加される少なくとも第１、第２の電極およびこの第２の電極よりも蛍光体スクリーン側に位置し所定の電圧が印加される第３の電極を有し、これら電極のうち、第１の電極とこの電極に隣接する電極とにより一対のサイドビームをセンタービームに近づける方向に曲げる第１の偏心レンズを形成し、第２の電極とこの電極に隣接する電極とにより一対のサイドビームをセンタービームから遠ざける方向に曲げる第２の偏心レンズを形成し、第３の電極とこの電極に隣接する電極とにより一対のサイドビームをセンタービームに近づける方向に曲げる第３の偏心レンズを形成し、かつ第２、第３の偏心レンズ間に３電子ビーム共通の電子レンズを形成するとともに、電子ビームの偏向に同期して第１、第２の電極に印加される電圧の上昇に伴って、第１の偏心レンズのレンズ強度が強くなり、第２の偏心レンズのレンズ強度が弱く、さらに３電子ビーム共通の電子レンズのレンズ強度が弱くなる構成とした。
【００１４】
【作用】
上記のように電子銃を構成すると、第１の電極とこの第１の電極に隣接する電極とにより第１の偏心レンズが、第２の電極とこの第２の電極に隣接する電極とにより第２の偏心レンズが、第３の電極とこの第３の電極に隣接する電極とにより第３の偏心レンズが形成され、電子ビームを偏向しない場合、一対のサイドビームは、第１の電極とこの第１の電極に隣接する電極とにより形成される第１の偏心レンズにより、センタービームに近づく方向に曲げられ、第２の電極とこの電極に隣接する電極とにより形成される第２の偏心レンズにより、センタービームから遠ざかる方向に曲げられ、第２の偏心レンズ、第３の電極とこの電極に隣接する電極とにより形成される第３の偏心レンズ間に形成される３電子ビーム共通の電子レンズにより、センタービームに近づく方向に曲げられ、第３の偏心レンズにより、センタービームに近づく方向に曲げられ、センタービームと一対のサイドビームとを蛍光体スクリーン中央上の一点に集中させることができる。
【００１５】
また電子ビームを画面の周辺部に偏向する場合、フォーカス電圧を高くすると、第１の偏心レンズが強く、第２の偏心レンズが弱く、３電子ビーム共通の電子レンズも弱くなるが、第３の偏心レンズを上述の電子ビームを偏向しない場合に対して変化しないようにすることができ、これら第１、第２、第３の偏心レンズおよび３電子ビーム共通の電子レンズにより、一対のサイドビームは、その第１の偏心レンズにより、電子ビームを偏向しない場合よりもセンタービームに近づく方向に曲げられ、第２の偏心レンズにより、センタービームから遠ざかる方向に曲げられるが、その作用は電子ビームを偏向しない場合よりも弱く、この第２の偏心レンズを通過したのちも、一対のサイドビームは、センタービームに近づく方向に進む。さらに３電子ビーム共通の電子レンズも弱いため、この３電子ビーム共通の電子レンズでは、一対のサイドビームの軌道は、ほとんど変化しない。そして第３の偏心レンズにより、電子ビームを偏向しない場合と同様にセンタービームに近づく方向に曲げられ、センタービームと一対のサイドビームとを蛍光体スクリーンの周辺部上の一点に集中させることができる。
【００１６】
つまり、電子ビームを画面の周辺部に偏向する場合、フォーカス電圧を高くしても、第１、第２の偏心レンズの作用と３電子ビーム共通の電子レンズの作用とが相補い、電子ビームを偏向しない場合と同様にセンタービームと一対のサイドビームとを、蛍光体スクリーン周辺部上の一点に集中させることができる。
【００１７】
【実施例】
以下、図面を参照してこの発明を実施例に基づいて説明する。
【００１８】図２にその一実施例であるカラー受像管を示す。このカラー受像管は、パネル１およびこのパネル１に一体に接合された漏斗状のファンネル２からなる外囲器を有し、そのパネル１の内面に、青、緑、赤に発光するストライプ状の３色蛍光体層からなる蛍光体スクリーン３が形成され、この蛍光体スクリーン３に対向して、その内側に多数の電子ビーム通過孔の形成されたシャドウマスク４が配置されている。一方、ファンネル２のネック６内に、同一水平面（ｘ−ｚ平面）上を通るセンタービーム７Ｇ  および一対のサイドビーム７Ｂ  ，７Ｒ  からなる一列配置の３電子ビーム７Ｂ  ，７Ｇ  ，７Ｒ  を放出する電子銃８が配置されている。さらにこの電子銃８に沿って、その一側に後述する抵抗器９が配置されている。そして、この電子銃８から放出される３電子ビーム７Ｂ  ，７Ｇ  ，７Ｒ  を、ファンネル２の外側に装着された偏向ヨーク１０の発生する磁界により偏向して、蛍光体スクリーン３を水平、垂直走査することにより、カラー画像を表示する構造に形成されている。
【００１９】なお、図２において、１２はファンネル２の径大部側壁に設けられた陽極端子、１３はファンネル２の径大部からネック６の隣接部内面にかけて塗布形成された内面導電膜、１４はネック６端部を封止するステム、１５はそのステム１４を気密に貫通するステムピンである。
【００２０】
上記電子銃８は、図１に示すように、水平方向に一列配置された３個のカソードＫ、これらカソードＫを各別に加熱する３個のヒータ（図示せず）、上記カソードＫから蛍光体スクリーン方向に順次所定間隔で配置された第１乃至第１０グリッドＧ１  〜Ｇ１０を有し、これらカソードＫ、ヒータおよび第１乃至第１０グリッドＧ１  〜Ｇ１０が一対の絶縁支持体（図示せず）により、一体に固定された構造に形成されている。
【００２１】
その第１および２グリッドＧ１  ，Ｇ２  は、それぞれ比較的板厚の薄い板状の電極から、第３、第４グリッドＧ３  ，Ｇ４  、第５グリッドＧ５  （第１の電極）および第６グリッドＧ６  は、それぞれ２個のカップ状電極を突合わせた筒状電極から、第７グリッドＧ７  （第２の電極）は、４個のカップ状電極を突合わせた筒状電極から、第８グリッドＧ８  および第９グリッドＧ９  （第３の電極）は、それぞれ比較的板厚の厚い板状の電極から、第１０グリッドＧ１０は、２個のカップ状電極を突合わせた筒状電極からなる。
【００２２】
これらグリッドＧ１  〜Ｇ１０には、３個のカソードＫに対応して、それぞれ３個の円形電子ビーム通過孔が水平方向に一列配置に形成されている。その第１および２グリッドＧ１  ，Ｇ２  の電子ビーム通過孔は、比較的小さい。第３グリッドＧ３  の第２グリッドＧ２  側の電子ビーム通過孔は、上記第２グリッドＧ２  の電子ビーム通過孔より大きい。第３グリッドＧ３  の第４グリッドＧ４  側および第４乃至第１０グリッドＧ４  〜Ｇ１０には、上記第３グリッドＧ３  の第２グリッドＧ２  側の電子ビーム通過孔よりも大きいほぼ同じ大きさの電子ビーム通過孔が形成されている。このうち、筒状電極からなる第５グリッドＧ５  の電子ビーム通過孔、第７グリッドＧ７  の第６グリッドＧ６  側および中間部の電子ビーム通過孔は、側壁をもつ電子ビーム通過孔となっている。この第７グリッドＧ７  の第８グリッドＧ８  側の電子ビーム通過孔は、側壁をもたない電子ビーム通過孔となっている。
【００２３】
上記各グリッドＧ１  〜Ｇ１０の各３個の電子ビーム通過孔のうち、中央のセンタービーム通過孔は、管軸ｚ（図１参照）と一致する軸ｚｃ  上にあるが、第５グリッドＧ５  の第４グリッドＧ４  側のサイドビーム通過孔１７、第７グリッドＧ７  の第６グリッドＧ６  側のサイドビーム通過孔１８、第９グリッドＧ９  のサイドビーム通過孔１９および第１０グリッドＧ１０の第９グリッドＧ９  側のサイドビーム通過孔２０は、他のサイドビーム通過孔の中心を通る軸ｚｓ  に対して、３個の電子ビーム通過孔の配列方向（水平方向）の外側に偏心している。
【００２４】
この電子銃の具体的な一例では、センタービーム通過孔の軸ｚｃ  とサイドビーム通過孔の軸ｚｓ  との間隔は６．６ｍｍ、第５グリッドＧ５  の第４グリッドＧ４  側のサイドビーム通過孔の離心量ｄ１  、および第７グリッドＧ７  の第６グリッドＧ６  側のサイドビーム通過孔の離心量ｄ２  は、それぞれ０．０６ｍｍ、第９グリッドＧ９  のサイドビーム通過孔および第１０グリッドＧ１０の第９グリッドＧ９  側のサイドビーム通過孔の離心量ｄ３  は、０．３３ｍｍと、第５グリッドＧ５  の第４グリッドＧ４  側のサイドビーム通過孔の離心量ｄ１  および第７グリッドＧ７  の第６グリッドＧ６  側のサイドビーム通過孔の離心量ｄ２  よりも大きくなっている。また第３グリッドＧ３  の第４グリッドＧ４  側および第４乃至第１０グリッドＧ４  〜Ｇ１０の各電子ビーム通過孔の口径は、５．５ｍｍに形成されている。
【００２５】
抵抗器９は、一端部２２が上記電子銃８の第１０グリッドＧ１０に接続され、他端部２３がステムピン１５を介して管外で接地され、第１０グリッドＧ１０に供給される陽極電圧Ｅｂ  を分割して、中間端子２４，２５から電子銃８の第６、第８、第９グリッドＧ６  ，Ｇ８  ，Ｇ９  にそれぞれ所定の電圧を供給する構造に形成されている。
【００２６】
上記電子銃８には、第１０グリッドＧ１０に、陽極端子１２、内面導電膜１３および第１０グリッドＧ１０に取付けられて内面導電膜１３に圧接するバルブスペーサー（図示せず）を介して陽極電圧Ｅｂ  が印加される。第９グリッドＧ９  には、抵抗器９の中間端子２５から、抵抗器９により分割された陽極電圧Ｅｂ  の約６５％の電圧が印加される。第８グリッドＧ８  と第６グリッドＧ６  とは管内で接続され、これら電極には、抵抗器９の中間端子２４から、抵抗器９により分割された陽極電圧Ｅｂ  の約４０％の電圧が印加される。第７グリッドＧ７  と第５グリッドＧ５  と第３グリッドＧ３  とは管内で接続され、これら電極には、ネック６端部のステムを気密に貫通するステムピン１５を介して、陽極電圧Ｅｂ  の約２８％の電圧に、電子ビームの偏向に同期して変化するダイナミック・フォーカス電圧が印加される。第４グリッドＧ４  と第２グリッドＧ２  とは管内で接続され、これら電極には、同じくステムピン１５を介して、約８００Ｖの電圧が印加される。さらに第１グリッドＧ１  は接地され、カソードＫには、約１００Ｖのカットオフ電圧に映像信号を重ねた電圧が印加される。
【００２７】
このような電圧の印加により、カソードＫおよびこのカソードＫに順次隣接する第１、第２グリッドＧ１  ，Ｇ２  により電子ビーム発生部が、また第３乃至第１０グリッドＧ３  〜Ｇ１０により、電子ビーム発生部からの３電子ビームを蛍光体スクリーン上に集束かつ集中する主レンズ部が形成される。
【００２８】
この主レンズ部に形成される主要な電子レンズを図３に示す。第４、第５グリッドＧ４  ，Ｇ５  間には、第５グリッドＧ５  の第４グリッドＧ４  側に側壁をもつ電子ビーム通過孔が形成されているため、センタービーム７Ｇ  および一対のサイドビーム７Ｂ  ，７Ｒ  に対して、３個独立の電子レンズが形成され、かつこの第５グリッドＧ５  の第４グリッドＧ４  側のサイドビーム通過孔が第４グリッドＧ４  の第５グリッドＧ５  側のサイドビーム通過孔に対して、３個の電子ビーム通過孔の配列方向の外側に偏心しているため、一対のサイドビーム７Ｂ  ，７Ｒ  に対して、第１の偏心レンズＬ１  が形成される（７Ｂ  についてのみ図示）。
【００２９】
また第６、第７グリッドＧ６  ，Ｇ７  間には、第７グリッドＧ７  の第６グリッドＧ６  側に側壁をもつ電子ビーム通過孔が形成されているため、センタービーム７Ｇ  および一対のサイドビーム７Ｂ  ，７Ｒ  に対して、３個独立の電子レンズが形成され、かつこの第７グリッドＧ７  の第６グリッドＧ６  側のサイドビーム通過孔が第６グリッドＧ６  の第７グリッドＧ７  側のサイドビーム通過孔に対して、３個の電子ビーム通過孔の配列方向の外側に偏心しているため、一対のサイドビーム７Ｂ  ，７Ｒ  に対して、第２の偏心レンズＬ２  が形成される。
【００３０】
また第８、第９グリッドＧ８  ，Ｇ９  間には、これら第８、第９グリッドＧ８  ，Ｇ９  がそれぞれ比較的板厚の厚い電極からなるため、センタービーム７Ｇ  および一対のサイドビーム７Ｂ  ，７Ｒ  に対して、３個独立の電子レンズが形成され、かつ第９グリッドＧ９  のサイドビーム通過孔が第８グリッドＧ８  のサイドビーム通過孔に対して、３個の電子ビーム通過孔の配列方向の外側に偏心しているため、一対のサイドビーム７Ｂ  ，７Ｒ  に対して、第３の偏心レンズＬ３  が形成される。
【００３１】
さらに第７、第８グリッドＧ７，Ｇ８間には、第７グリッドＧ７の第８グリッドＧ８側に側壁をもたない電子ビーム通過孔が形成され、しかも図１に示すように、各電子ビーム通過孔が穿設されているグリッド部分の管軸方向の厚みが孔径に比較して非常に薄く形成されているために、３電子ビーム夫々の電子ビーム通過孔が設けられていても、センタービーム７Ｇおよび一対のサイドビーム７Ｂ，７Ｒに対して、３電子ビーム共通の大きな一つの電子レンズＬ４が形成される。
【００３２】
なおこの主レンズ部には、上記第１、第２、第３の偏心レンズＬ１  ，Ｌ２  ，Ｌ３  、３電子ビーム共通の電子レンズＬ４  以外にも電子レンズが形成されるが、この発明とは直接関係ないので、図３では省略してある。
【００３３】
電子銃の主レンズ部を上記のように電子レンズＬ１  ，Ｌ２  ，Ｌ３  、Ｌ４  を形成する構成とすると、図４にサイドビーム７Ｂ  について示すように電子ビームを偏向しない場合は、実線で示すように電子ビーム発生部からサイドビーム通過孔の軸ｚｓ  上を通って引出されたサイドビーム７Ｂ  は、第１の偏心レンズＬ１  により、センタービーム通過孔の軸ｚｃ  上を通るセンタービームに近づく方向に曲げられる。ついで第２の偏心レンズＬ２  により、逆にセンタービームから遠ざかる方向に曲げられる。さらに３電子ビーム共通の電子レンズＬ４  により、センタービームに近づく方向に曲げられる。その後、第３の偏心レンズＬ３  により、センタービームに近づく方向に曲げられ、蛍光体スクリーン３の中心Ｏ上に達し、センタービームと一対のサイドビームは、蛍光体スクリーン３の中心上の一点に集中する。
【００３４】
これに対し、電子ビームの偏向に同期して、第３、第５、第７グリッドＧ３，Ｇ５，Ｇ７に印加されるフォーカス電圧を高めると、電子ビームを偏向しない場合にくらべて、第１の偏心レンズＬ１は強く、第２の偏心レンズＬ２は弱く、３電子ビーム共通の電子レンズＬ４も弱くなるが、第３の偏心レンズＬ３は電子ビームの偏向に同期してフォーカス電圧を高めたとしてもその影響を殆ど受けないので、電子ビームを偏向しない場合と比較しても変化しなくなる。その結果、電子ビーム発生部からサイドビーム通過孔の軸ｚｓ上を通って引出されたサイドビーム７Ｂは、図４に破線で示すように、第１の偏心レンズＬ１により、電子ビームを偏向しない場合よりも大きくセンタービームに近づく方向に曲げられ、ついで第２の偏心レンズＬ２により、センタービームから遠ざかる方向に曲げられるが、なおセンタービームに近づく方向に進む。そして３電子ビーム共通の電子レンズＬ４では、ほとんどその進行方向を変化することなく進み、第３の偏心レンズＬ３により、電子ビームを偏向しない場合と同様にセンタービームに近づく方向に曲げられ、蛍光体スクリーン３の周辺部に達し、センタービームと一対のサイドビームは、蛍光体スクリーン３の周辺部上の一点に集中する。
【００３５】
なお、図４に示した点線２７は、第１、第２の偏心レンズＬ１  ，Ｌ２  を形成しない場合のサイドビームの軌道である。また図４では、便宜上、電子ビームを偏向する場合と同じ蛍光体スクリーン３上の位置に達するように示した。また電子銃から放出された電子ビームは、偏向装置の発生する磁界により偏向され、曲線を描くが、図４では、便宜上、直進するとして示した。
【００３６】
表１に３２インチカラー受像管について、上記実施例に示した電子銃と、この電子銃と同一構造でかつ第１、第２の偏心レンズＬ１  ，Ｌ２  の少なくとも一方を形成しない電子銃について、３電子ビームを偏向しない場合、画面中心上で３電子ビームが集中するように調整し、３電子ビームを画面周辺部に偏向する場合、フォーカス電圧を１０００Ｖ高めたときの一対のサイドビームの画面周辺部での離間状態（間隔）を比較して示す。
【００３７】
【表１】
0003586286.tif 000002
この表１に示されているように、第１、第２の偏心レンズＬ１  ，Ｌ２  の少なくとも一方を形成しない場合は、いずれも０．６ｍｍ以上のずれを生じたが、この例の電子銃では、一対のサイドビームのずれを零とすることができた。なお、表１のＢは、従来の特公平１−４２１０９号公報に示されている電子銃と同じ構造である。
【００３８】
【発明の効果】
センタービームおよび一対のサイドビームからなる一列配置の３電子ビームを放出する電子銃を、電子ビームの偏向に同期して変化する電圧の印加される少なくとも第１、第２の電極およびこの第２の電極よりも蛍光体スクリーン側に位置し所定の電圧が印加される第３の電極を有し、これら電極のうち、第１の電極とこの電極に隣接する電極とにより一対のサイドビームをセンタービームに近づける方向に曲げる第１の偏心レンズを形成し、第２の電極とこの電極に隣接する電極とにより一対のサイドビームをセンタービームから遠ざける方向に曲げる第２の偏心レンズを形成し、第３の電極とこの電極に隣接する電極とにより一対のサイドビームをセンタービームに近づける方向に曲げる第３の偏心レンズを形成し、かつ第２、第３の偏心レンズ間に３電子ビーム共通の電子レンズを形成し、電子ビームの偏向に同期して第１、第２の電極に印加される電圧の上昇に伴って、第１の偏心レンズのレンズ強度が強くなり、第２の偏心レンズのレンズ強度が弱く、さらに３電子ビーム共通の電子レンズのレンズ強度が弱くなるように構成すると、電子ビームを偏向しない場合、一対のサイドビームは、第１の偏心レンズによりセンタービームに近づく方向に曲げられ、第２の偏心レンズによりセンタービームから遠ざかる方向に曲げられ、第２、第３の偏心レンズ間に形成される３電子ビーム共通の電子レンズによりセンタービームに近づく方向に曲げられ、第３の偏心レンズによりセンタービームに近づく方向に曲げられ、センタービームと一対のサイドビームとを、蛍光体スクリーン中心上の一点に集中させることができる。
【００３９】
また電子ビームを画面の周辺部に偏向する場合、フォーカス電圧を高めると、第１の偏心レンズは強く、第２の偏心レンズは弱く、３電子ビーム共通の電子レンズも弱くなるが、第３の偏心レンズは電子ビームを偏向しない場合に対して変化しないようにすることができ、これら第１、第２、第３の偏心レンズおよび３電子ビーム共通の電子レンズにより、一対のサイドビームは、その第１の偏心レンズにより、電子ビームを偏向しない場合よりもセンタービームに近づく方向に曲げられ、第２の偏心レンズにより、センタービームから遠ざかる方向に曲げられるが、その作用は電子ビームを偏向しない場合よりも弱く、この第２の偏心レンズを通過したのちも、一対のサイドビームは、センタービームに近づく方向に進む。さらに３電子ビーム共通の電子レンズも弱くなっているため、この３電子ビーム共通の電子レンズでは、一対のサイドビームの軌道は、ほとんど変化させない。そして第３の偏心レンズにより、電子ビームを偏向しない場合と同様にセンタービームに近づく方向に曲げられ、センタービームと一対のサイドビームとを、蛍光体スクリーン周辺部上の一点に集中させることができる。
【００４０】
つまり、電子ビームを画面の周辺部に偏向する場合、フォーカス電圧を高くしても、第１、第２の偏心レンズの作用と３電子ビーム共通の電子レンズの作用とが相補い、電子ビームを偏向しない場合と同様にセンタービームと一対のサイドビームとを、蛍光体スクリーン上の一点に集中させることができ、蛍光体スクリーンの全域にわたり、すぐれたコンバーゼンスが得られ、画面全域にわたり品位良好な画像を表示するカラー受像管とすることができる。
【図面の簡単な説明】
【図１】この発明の一実施例であるカラー受像管の電子銃の構成を示す図である。
【図２】この発明の一実施例であるカラー受像管の構成を示す図である。
【図３】上記電子銃の主レンズ部に形成される主要電子レンズを示す図である。
【図４】上記主レンズ部に形成される主要電子レンズの作用を説明するための図である。
【符号の説明】
１…パネル
３…蛍光体スクリーン
７Ｂ  ，７Ｒ  …一対のサイドビーム
７Ｇ  …センタービーム
８…電子銃
９…抵抗器
１０…偏向装置
１７…第５グリッドのサイドビーム通過孔
１８…第７グリッドのサイドビーム通過孔
１９…第９グリッドのサイドビーム通過孔
Ｇ１  …第１グリッド
Ｇ２  …第２グリッド
Ｇ３  …第３グリッド
Ｇ４  …第４グリッド
Ｇ５  …第５グリッド
Ｇ６  …第６グリッド
Ｇ７  …第７グリッド
Ｇ８  …第８グリッド
Ｇ９  …第９グリッド
Ｇ１０…第１０グリッド
Ｋ…カソード
Ｌ１  …第１の偏心レンズ
Ｌ２  …第２の偏心レンズ
Ｌ３  …第３の偏心レンズ
Ｌ４  …３電子ビーム共通の電子レンズ
【図１】
0003586286.tif 000003
【図２】
0003586286.tif 000004
【図３】
0003586286.tif 000005
【図４】
0003586286.tif 000006